(57)【要約】  パワーコンディショナー用筐体１は、筐体本体と、扉１１と、軸体１３と、軸受１４と、ピン１６と、ガイド孔１７とを備える。軸受１４は、回動軸ＲＬを中心に軸体１３が回動でき、かつ、回動軸ＲＬ方向に軸体１３が移動できるように軸体１３を支持する。ピン１６は、軸体１３と軸受１４とのうちの一方に設けられて他方に向かって突出する。ガイド孔１７は、軸体１３と軸受１４とのうちピン１６が設けられていない方に形成されてピン１６と係合する。ガイド孔１７は、軸方向ガイド孔１７ａと、周方向ガイド孔１７ｂとを含む。軸方向ガイド孔１７ａは、回動軸ＲＬ方向に沿って形成される。周方向ガイド孔１７ｂは、周方向へ向かって軸方向ガイド孔１７ａに交差して形成され、扉１１が開かれる際のピン１６のガイド孔１７に対する周方向の相対的な移動を許す。
2011001513.tif 000002
【特許請求の範囲】
【請求項１】
開口を有すると共にパワーコンディショナーの機器類が収められる筐体本体と、
前記筐体本体に取り付けられて、前記開口を覆うことができる扉と、
前記筐体本体と前記扉とのうちのいずれかに設けられる軸体と、
前記筐体本体と前記扉とのうち前記軸体が設けられない方に設けられ、前記軸体の外周面の少なくとも一部を覆って、前記軸体の回動軸を中心に前記軸体が回動でき、かつ、回動軸方向に前記軸体が移動できるように前記軸体を支持する軸受と、
前記軸体と前記軸受とのうちの一方に設けられ、他方に向かって突出する突起部と、
前記軸体と前記軸受とのうちの前記突起部が設けられていない方に形成されて前記突起部と係合するガイド手段と、
を備え、
前記ガイド手段は、
前記回動軸方向に沿って形成される軸方向部分と、
前記軸体と前記軸受とのうち前記ガイド手段が形成される方の周方向へ向かって前記軸方向部分に交差して形成され、前記扉が開かれる際の前記突起部の前記ガイド手段に対する前記周方向の相対的な移動を許す周方向部分と、
を含むことを特徴とするパワーコンディショナー用筐体。
【請求項２】
前記ガイド手段は、
前記周方向部分と前記軸方向部分とが直交することを特徴とする請求項１に記載のパワーコンディショナー用筐体。
【請求項３】
前記ガイド手段は、
前記周方向部分が前記軸方向部分に対して傾斜して交差することを特徴とする請求項１に記載のパワーコンディショナー用筐体。
【請求項４】
前記軸方向部分は、
第１軸方向部分と、
前記第１軸方向部分とは前記周方向で異なる位置に形成される第２軸方向部分と、
を含んで構成され、
前記周方向部分は、
一方が前記第１軸方向部分と連通し、かつ、他方が前記第２軸方向部分と連通する第１周方向部分と、
前記第１周方向部分と前記回動軸方向で異なる位置に形成され、前記第２軸方向部分と連通する第２周方向部分と、
を含んで構成されることを特徴とする請求項１から請求項３のいずれか一項に記載のパワーコンディショナー用筐体。
【請求項５】
前記ガイド手段は、
前記扉が前記開口を覆う際に、前記突起部が前記軸方向部分と係合することで、前記扉の前記回動軸方向の移動をガイドし、
前記突起部が前記周方向部分に向かって前記ガイド手段に対して相対的に移動した後に、前記突起部が前記周方向部分と係合することで、前記扉の前記回動軸を中心とした回動を許すことを特徴とする請求項１から請求項４のいずれか一項に記載のパワーコンディショナー用筐体。
【発明の詳細な説明】
【技術分野】
【０００１】
本発明は、パワーコンディショナーの機器類を格納するパワーコンディショナー用筐体に関する。
【背景技術】
【０００２】
従来、機器類を格納する筐体には、扉が筐体本体に対して回動できるように筐体本体に連結された筐体がある。このような筐体は、例えば、屋外のように風を受ける場所に設置された場合に、扉が閉められている状態で扉が揺れることがあった。この扉の揺れを抑制するための技術として、例えば、特許文献１には、２つの折り畳みパネルが対となって設けられる扉に取り付けられ、２つの折り畳みパネルの当接側の裏面下部にそれぞれ凹部と凸部が対向して設けられ、２つの折り畳みパネルが閉止された際に密着係合する凹形掛止具と凸形掛止具を含んで構成される折り畳み扉の揺れ止め具が開示されている。
【先行技術文献】
【特許文献】
【０００３】
【特許文献１】特開平１０−２９９３３２号公報
【発明の概要】
【発明が解決しようとする課題】
【０００４】
ここで、屋外に設置される場合、筐体は、風の他にも雨を受けることがある。よって、屋外に設置される筐体の場合、筐体本体の内部への水の進入を抑制する必要がある。そこで、屋外に設置される筐体の構成として、例えば、扉側に突出するように筐体本体に設けられて、扉と筐体本体との隙間を覆う雨避部分が形成されることで、筐体本体の内部への水の進入を抑制する構成が考えられる。【０００５】
しかしながら、この場合、筐体は、扉が開閉される際に扉が雨避部分と干渉する。よって、従来、屋外に設けられるパワーコンディショナー用筐体では、扉が回動軸を中心に回動する構成ではなく、扉が筐体本体から完全に取り外しできるように構成され、パワーコンディショナーの機器類が筐体本体に格納された後に扉が筐体本体にボルトによって取り付けられていた。このような筐体の場合、ユーザーは、扉を開ける際にボルトをすべて取り外し、扉を筐体本体から取り外す必要がある。よって、このような筐体の場合、扉を開閉する際にユーザーの手間が増大するおそれがある。【０００６】
本発明は、上記に鑑みてなされたものであって、扉を開閉する際に要するユーザーの手間を低減できるパワーコンディショナー用筐体を得ることを目的とする。
【課題を解決するための手段】
【０００７】
上述した課題を解決し、目的を達成するために、本発明に係るパワーコンディショナー用筐体は、開口を有すると共にパワーコンディショナーの機器類が収められる筐体本体と、前記筐体本体に取り付けられて、前記開口を覆うことができる扉と、前記筐体本体と前記扉とのうちのいずれかに設けられる軸体と、前記筐体本体と前記扉とのうち前記軸体が設けられない方に設けられ、前記軸体の外周面の少なくとも一部を覆って、前記軸体の回動軸を中心に前記軸体が回動でき、かつ、回動軸方向に前記軸体が移動できるように前記軸体を支持する軸受と、前記軸体と前記軸受とのうちの一方に設けられ、他方に向かって突出する突起部と、前記軸体と前記軸受とのうちの前記突起部が設けられていない方に形成されて前記突起部と係合するガイド手段と、を備え、前記ガイド手段は、前記回動軸方向に沿って形成される軸方向部分と、前記軸体と前記軸受とのうち前記ガイド手段が形成される方の周方向へ向かって前記軸方向部分に交差して形成され、前記扉が開かれる際の前記突起部の前記ガイド手段に対する前記周方向の相対的な移動を許す周方向部分と、を含むことを特徴とする。
【発明の効果】
【０００８】
本発明によれば、扉を開閉する際に要するユーザーの手間を低減できるという効果を奏する。
【図面の簡単な説明】
【０００９】
【図１】図１は、扉が閉まっている際の実施の形態１に係るパワーコンディショナー用筐体を示す正面図である。
【図２】図２は、扉が開いている際の実施の形態１に係るパワーコンディショナー用筐体を示す正面図である。
【図３】図３は、扉が開いている際の実施の形態１に係るヒンジ部分を回動軸に直交する仮想平面で切って示す断面図である。
【図４】図４は、扉が閉まっている際の実施の形態１に係るヒンジ部分を回動軸に直交する仮想平面で切って示す断面図である。
【図５】図５は、実施の形態１のガイド機構を拡大して模式的に示す斜視図である。
【図６】図６は、実施の形態２のガイド機構を拡大して模式的に示す斜視図である。
【図７】図７は、実施の形態３のガイド機構を拡大して模式的に示す斜視図である。
【図８】図８は、実施の形態４に係るヒンジ部分を回動軸に直交する仮想平面で切って示す断面図である。
【図９】図９は、実施の形態４のガイド溝を拡大して模式的に示す斜視図である。
【図１０】図１０は、実施の形態５のガイド機構を拡大して模式的に示す斜視図である。
【図１１】図１１は、実施の形態６のガイド機構を拡大して模式的に示す斜視図である。
【発明を実施するための形態】
【００１０】
以下に、本発明に係るパワーコンディショナー用筐体の実施の形態を図面に基づいて詳細に説明する。なお、この実施の形態によりこの発明が限定されるものではない。
【００１１】
実施の形態１．
図１は、扉が閉まっている際の実施の形態１に係るパワーコンディショナー用筐体を示す正面図である。図２は、扉が開いている際の実施の形態１に係るパワーコンディショナー用筐体を示す正面図である。実施の形態１に係るパワーコンディショナー用筐体１は、図１及び図２に示すように、筐体本体１０と、扉１１とを備える。筐体本体１０は、図２に示すように、背板１０ａと、天板１０ｂと、底板１０ｃと、２つの側板１０ｄとを含んで構成される。天板１０ｂと、底板１０ｃと、２つの側板１０ｄとは、背板１０ａの同一側の面に、例えば垂直に設けられる。天板１０ｂと、底板１０ｃとは、互いに対向して設けられる。２つの側板１０ｄは、互いに対向して設けられる。
【００１２】
筐体本体１０は、背板１０ａと、天板１０ｂと、底板１０ｃと、２つの側板１０ｄとで、開口１０ｅを有する箱型に形成される。ここで、開口１０ｅは、天板１０ｂの端部のうち背板１０ａとは反対側の端部と、底板１０ｃの端部のうち背板１０ａとは反対側の端部と、側板１０ｄの端部のうち背板１０ａとは反対側の端部とで囲まれる開口である。パワーコンディショナー用筐体１は、この箱型の筐体本体１０内にパワーコンディショナーの機器類が格納される。
【００１３】
扉１１は、２つの側板１０ｄのうちの一方に、回動軸ＲＬを軸に回動できるように連結される。回動軸ＲＬは、本実施の形態では、天板１０ｂ及び底板１０ｃに直交する。パワーコンディショナー用筐体１は、扉１１が回動軸ＲＬを軸に回動されることにより、図１に示すように、扉１１によって開口１０ｅが覆われたり、図２に示すように、開口１０ｅが開放されたりする。以下、扉１１によって開口１０ｅが覆われた状態を扉が閉まっている状態といい、開口１０ｅが開放されている状態を扉が開いている状態という。次に、扉１１と筐体本体１０との連結部、いわゆるヒンジ部分の構成について説明する。
【００１４】
図３は、扉が開いている際の実施の形態１に係るヒンジ部分を回動軸に直交する仮想平面で切って示す断面図である。図４は、扉が閉まっている際の実施の形態１に係るヒンジ部分を回動軸に直交する仮想平面で切って示す断面図である。図３及び図４に示すように、パワーコンディショナー用筐体１のヒンジ部分は、軸体１３と、軸受１４とを含んで構成される。
【００１５】
軸体１３は、回動軸ＲＬに直交する仮想平面で切った断面が円形に形成される。以下、回動軸ＲＬに直交する仮想平面で切った断面を単に断面という。回動軸ＲＬは、軸体１３の断面の中心を通る。本実施の形態では、軸体１３は扉１１に設けられる。軸受１４は、軸体１３の外周面１３ａの少なくとも一部を覆う形状に形成される。本実施の形態では、軸受１４は、軸体１３と扉１１との連結部を避けて筒型の一部が欠けた形状に形成される。これにより、軸受１４は、断面が略Ｃ字型をなす。軸受１４は、本実施の形態では、筐体本体１０に設けられる。  
【００１６】
パワーコンディショナー用筐体１は、軸体１３が軸受１４の内側に挿入される。ここで、前記内側とは、断面が略Ｃ字型に形成される軸受１４のＣ字部分に囲まれた空間である。これにより、パワーコンディショナー用筐体１は、軸受１４の内周面１４ａと軸体１３の外周面１３ａとが対向する。よって、パワーコンディショナー用筐体１は、回動軸ＲＬを中心に軸体１３が周方向に回動できるように、軸体１３が軸受１４に支持される。結果として、パワーコンディショナー用筐体１は、扉１１が筐体本体１０に対して開閉できるようにヒンジ部分によって支持できる。
【００１７】
また、上記構成により、パワーコンディショナー用筐体１は、回動軸ＲＬ方向に軸体１３が軸受１４に対して移動できるように、軸体１３が軸受１４に支持される。結果として、パワーコンディショナー用筐体１は、扉１１が筐体本体１０に対して回動軸ＲＬ方向に移動できるようにヒンジ部分によって支持できる。ここで、ヒンジ部分は、軸体１３が扉１１に設けられ、軸受１４が筐体本体１０に設けられる構成に限定されない。ヒンジ部分は、軸体１３が筐体本体１０に設けられ、軸受１４が扉１１に設けられてもよい。
【００１８】
パワーコンディショナー用筐体１は、扉１１が開かれた状態で扉１１の一部が軸受１４や筐体本体１０に干渉する場合がある。このような場合、ヒンジ部分は、軸受１４や筐体本体１０に逃げ部１４ｂが形成される。逃げ部１４ｂは、扉１１が開閉される際に、図３に示すように、扉１１の一部が出し入れされる部分である。
【００１９】
ここで、パワーコンディショナー用筐体１は、屋外に設けられることも想定されて設計される。よって、パワーコンディショナー用筐体１は、図１及び図２に示すように、天板１０ｂの端部のうち背板１０ａとは反対側の端部に雨避部分１０ｆが形成される。雨避部分１０ｆは、底板１０ｃ側に向かって突出する。雨避部分１０ｆは、例えば、天板１０ｂが折り曲げられて形成される。これにより、パワーコンディショナー用筐体１は、扉１１が閉まっている際に、扉１１と天板１０ｂとの隙間を雨避部分１０ｆが覆う。よって、パワーコンディショナー用筐体１は、扉１１と天板１０ｂとの隙間を介して筐体本体１０内へ水が浸入するおそれを抑制できる。
【００２０】
上記構造のため、パワーコンディショナー用筐体１は、軸体１３が軸受１４に対して回動軸ＲＬ方向に移動できるように軸体１３が軸受１４に支持される。これにより、パワーコンディショナー用筐体１は、扉１１が開かれる際に扉１１と雨避部分１０ｆとが干渉し合わないように、扉１１が回動軸ＲＬ方向に移動できる。ここで、図２に示すように、回動軸ＲＬ方向のうち、扉１１が雨避部分１０ｆから離れる方向を所定方向Ａとする。パワーコンディショナー用筐体１は、扉１１が開かれる際に、まず、扉１１が雨避部分１０ｆと干渉しない位置まで、扉１１が所定方向Ａに移動される。そして、パワーコンディショナー用筐体１は、扉１１が回動軸ＲＬを軸に回動されて、扉１１が開かれる。ここで、パワーコンディショナー用筐体１は、扉１１の動きを規制するためのガイド機構１５を有する。以下にガイド機構１５の構成を説明する。
【００２１】
図５は、実施の形態１のガイド機構を拡大して模式的に示す斜視図である。ガイド機構１５は、扉１１と筐体本体１０とのヒンジ部分に少なくとも１つ設けられる。本実施の形態では、ガイド機構１５は、図２に示すように、扉１１と筐体本体１０とのヒンジ部分に２つ設けられる。ガイド機構１５は、図５に示すように、ピン１６と、ピン１６が係合するガイド手段としてのガイド孔１７とを含んで構成される。
【００２２】
ピン１６は、本実施の形態では、軸体１３に設けられる。ピン１６は、軸体１３の外周面１３ａから軸受１４に向かって軸体１３の径方向外側に突出する突起部である。ピン１６は、例えば、ボルトである。ここで、本実施の形態のピン１６は、ガイド孔１７と係合する部分には、雄ネジ部分が形成されない。つまり、ピン１６は、先端部分のみに雄ネジ部分が形成される。これにより、ガイド孔１７にピン１６の雄ネジ部分が係合することに起因するガイド孔１７の耐久性の低下を抑制できる。本実施の形態では、ガイド機構１５は、軸体１３の外周面１３ａに雌ネジ穴が形成され、ピン１６に形成された雄ネジ部分が軸体１３の外周面１３ａに形成される前記雌ネジ穴にねじ込まれることで、ピン１６が軸体１３に取り付けられる。
【００２３】
ガイド孔１７は、軸受１４に形成される。ガイド孔１７は、軸受１４の径方向に軸受１４を貫通する孔である。ガイド孔１７は、ガイド手段の軸方向部分としての軸方向ガイド孔１７ａと、ガイド手段の周方向部分としての周方向ガイド孔１７ｂとを含んで構成される。軸方向ガイド孔１７ａは、ガイド孔１７の部分のうち、回動軸ＲＬに平行な部分である。周方向ガイド孔１７ｂは、ガイド孔１７の部分のうち、軸受１４の周方向に向かって形成される部分である。なお、以下の説明では、軸受１４の側周部を平面に展開した場合の構成を説明する。また、ここでいう周方向には、軸方向ガイド孔１７ａと直交する方向以外にも、軸方向ガイド孔１７ａに傾斜する方向も含まれる。
【００２４】
ガイド孔１７は、軸方向ガイド孔１７ａと周方向ガイド孔１７ｂとが互いに連通しあって交差する。本実施の形態では、ガイド孔１７は、軸方向ガイド孔１７ａと周方向ガイド孔１７ｂとが直交する。これにより、ガイド孔１７は、略Ｌ字型に形成される。パワーコンディショナー用筐体１は、扉１１が回動軸ＲＬを中心に回動すると、軸体１３が回動軸ＲＬを中心に回動する。これにより、軸体１３に取り付けられるピン１６も回動軸ＲＬを中心に回動する。ここで、周方向のうち、扉１１が開かれる際に扉１１が回動する方向を扉回動方向Ｓ０１とする。本実施の形態では、ピン１６は、軸体１３に連結されて扉１１と共にピン１６も回動する。よって、扉回動方向Ｓ０１は、扉１１が開かれる際にピン１６が移動しようとする方向と一致する。周方向ガイド孔１７ｂは、軸方向ガイド孔１７ａから扉回動方向Ｓ０１に向かって形成される。
【００２５】
ここで、ガイド機構１５の組み付け方向を説明する。パワーコンディショナー用筐体１は、まず、軸体１３にピン１６が取り付けられていない状態で、軸体１３が軸受１４に取り付けられる。次に、パワーコンディショナー用筐体１は、軸体１３の外周面１３ａに形成される雌ネジ穴と、ガイド孔１７とが対向しあうように、軸受１４の内部での軸体１３が位置決めされる。次に、パワーコンディショナー用筐体１は、ピン１６が回動軸ＲＬに向かってガイド孔１７を介して軸体１３の外周面１３ａに形成される雌ネジ穴にねじ込まれる。このようにして、パワーコンディショナー用筐体１は、ガイド機構１５が組み付けられる。
【００２６】
次に、ガイド機構１５の作用及び効果を説明する。ここで、ガイド孔１７の部分のうち、軸方向ガイド孔１７ａの閉塞する端部を第１端部Ｔ１１とする。また、ガイド孔１７の部分のうち、軸方向ガイド孔１７ａと周方向ガイド孔１７ｂとが互いに連通する部分を交差部Ｔ１２とする。また、ガイド孔１７の部分のうち、周方向ガイド孔１７ｂの閉塞する端部を第２端部Ｔ１３とする。第１端部Ｔ１１は、交差部Ｔ１２よりも図１に示す雨避部分１０ｆ側に形成される。また、第２端部Ｔ１３は、交差部Ｔ１２から扉回動方向Ｓ０１に向かって離れて形成される。
【００２７】
ガイド機構１５は、扉１１が閉まっている際、ピン１６が第１端部Ｔ１１でガイド孔１７と係合する。ここで、ユーザーが回動軸ＲＬを中心に扉１１を回動させようとしても、パワーコンディショナー用筐体１は、ピン１６が軸方向ガイド孔１７ａと係合している。よって、パワーコンディショナー用筐体１は、ピン１６の扉回動方向Ｓ０１の動きが軸方向ガイド孔１７ａで規制される。よって、パワーコンディショナー用筐体１は、扉１１が回動軸ＲＬを中心に回動しない。これにより、パワーコンディショナー用筐体１は、図１に示す扉１１と雨避部分１０ｆとの干渉を抑制できる。
【００２８】
扉１１を開く場合、ユーザーは、回動軸ＲＬ方向のうち、所定方向Ａの力を扉１１に加える。この時、ピン１６は、軸方向ガイド孔１７ａに沿って周方向ガイド孔１７ｂに向かって移動する。つまり、ピン１６は、第１端部Ｔ１１から交差部Ｔ１２に向かって所定方向Ａへ移動する。パワーコンディショナー用筐体１は、ピン１６が交差部Ｔ１２に到達すると、ピン１６が周方向ガイド孔１７ｂと係合する。すると、ピン１６は、それ以上所定方向Ａへ移動できない。これにより、パワーコンディショナー用筐体１は、扉１１の所定方向Ａへの移動量を制限できる。  
【００２９】
次に、ユーザーは、回動軸ＲＬを中心に扉１１を扉回動方向Ｓ０１に回動させる。この時、ピン１６は、周方向ガイド孔１７ｂに沿って交差部Ｔ１２から第２端部Ｔ１３に向かって扉回動方向Ｓ０１に移動する。パワーコンディショナー用筐体１は、ピン１６が第２端部Ｔ１３に到達すると、ピン１６の扉回動方向Ｓ０１の動きが第２端部Ｔ１３によって規制される。これにより、パワーコンディショナー用筐体１は、扉１１の扉回動方向Ｓ０１への回動量を制限できる。
【００３０】
以上のように、パワーコンディショナー用筐体１は、軸方向ガイド孔１７ａと、扉１１が開かれる際にピン１６がガイド孔１７に対して移動しようとする方向である扉回動方向Ｓ０１に向かって形成される周方向ガイド孔１７ｂとを備える。これにより、パワーコンディショナー用筐体１は、まず、所定方向Ａへ向かって扉１１を移動させるように軸方向ガイド孔１７ａが軸体１３をガイドする。
【００３１】
次に、パワーコンディショナー用筐体１は、周方向ガイド孔１７ｂがピン１６の開方向Ｓ０１に向かう移動を許す。すなわち、パワーコンディショナー用筐体１は、扉回動方向Ｓ０１に向かって扉１１を回動させるように周方向ガイド孔１７ｂが軸体１３をガイドできる。これにより、パワーコンディショナー用筐体１は、図１に示す扉１１と雨避部分１０ｆとの干渉を抑制できる。以上により、パワーコンディショナー用筐体が図１及び図２に示す雨避部分１０ｆを備える場合であっても、ユーザーは、扉１１を筐体本体１０から完全に取り外す必要なく、容易に扉１１を開閉できる。よって、パワーコンディショナー用筐体１は、扉１１を開閉する際にユーザーの手間が増大するおそれを抑制できる。
【００３２】
また、パワーコンディショナー用筐体１は、ガイド機構１５を備えることにより、扉１１の所定方向Ａへの移動量を規制できる。これにより、パワーコンディショナー用筐体１は、軸体１３が回動軸ＲＬ方向に過剰に移動し、例えば、扉１１が地面と衝突したり、軸体１３が軸受１４から抜けたりするおそれを抑制できる。また、パワーコンディショナー用筐体１は、ガイド機構１５を備えることで、扉１１の扉回動方向Ｓ０１への回動量を規制できる。これにより、パワーコンディショナー用筐体１は、扉１１の最大開度を設定できる。
【００３３】
実施の形態２．
図６は、実施の形態２のガイド機構を拡大して模式的に示す斜視図である。実施の形態２に係るパワーコンディショナー用筐体２のガイド機構２３は、ガイド孔の形状が実施の形態１に係るパワーコンディショナー用筐体１のガイド機構１５と異なる。ガイド機構２３は、図６に示すように、ピン１６と、ピン１６が係合するガイド手段としてのガイド孔２５とを含んで構成される。ガイド孔２５は、軸受２２に形成される。ガイド孔２５は、軸受２２の径方向に軸受２２を貫通する孔である。
【００３４】
ガイド孔２５は、ガイド手段の軸方向部分としての軸方向ガイド孔２５ａと、ガイド手段の周方向部分としての周方向ガイド孔２５ｂとを含んで構成される。軸方向ガイド孔２５ａは、回動軸ＲＬに平行に形成される。周方向ガイド孔２５ｂは、軸受２２の周方向に向かって形成される。また、周方向ガイド孔２５ｂは、軸方向ガイド孔２５ａに対して傾斜して形成される。周方向ガイド孔２５ｂは、軸方向ガイド孔２５ａから扉回動方向Ｓ０１と所定方向Ａとの中間の方向に向かって形成される。ガイド孔２５は、軸方向ガイド孔２５ａと周方向ガイド孔２５ｂとが互いに連通しあって交差する。
【００３５】
次に、ガイド機構２３の作用及び効果を説明する。ここで、ガイド孔２５の部分のうち、軸方向ガイド孔２５ａの閉塞する端部を第１端部Ｔ２１とする。また、ガイド孔２５の部分のうち、軸方向ガイド孔２５ａと周方向ガイド孔２５ｂとが互いに連通する部分を交差部Ｔ２２とする。また、ガイド孔２５の部分のうち、周方向ガイド孔２５ｂの閉塞する端部を第２端部Ｔ２３とする。第１端部Ｔ２１は、交差部Ｔ２２よりも図１に示す雨避部分１０ｆ側に形成される。また、第２端部Ｔ２３は、交差部Ｔ２２よりも扉回動方向Ｓ０１に離れて形成され、かつ、交差部Ｔ２２よりも雨避部分１０ｆから離れて形成される。
【００３６】
ガイド機構２３は、扉１１が閉まっている際、ピン１６が第１端部Ｔ２１でガイド孔２５と係合する。ここで、ユーザーが回動軸ＲＬを中心に扉１１を回動させようとしても、パワーコンディショナー用筐体２は、ピン１６が軸方向ガイド孔２５ａと係合している。よって、パワーコンディショナー用筐体２は、ピン１６の扉回動方向Ｓ０１の動きが軸方向ガイド孔２５ａで規制される。よって、パワーコンディショナー用筐体２は、扉１１が回動軸ＲＬを中心に回動しない。これにより、パワーコンディショナー用筐体２は、図１に示す扉１１と雨避部分１０ｆとの干渉を抑制できる。
【００３７】
扉１１を開く場合、ユーザーは、回動軸ＲＬ方向のうち、所定方向Ａの力を扉１１に加える。この時、ピン１６は、軸方向ガイド孔２５ａに沿って第１端部Ｔ２１から交差部Ｔ２２に向かって所定方向Ａへ移動する。パワーコンディショナー用筐体２は、ピン１６が交差部Ｔ２２に到達すると、ピン１６が周方向ガイド孔２５ｂと係合する。すると、ピン１６は、それ以上所定方向Ａへの移動が規制される。これにより、パワーコンディショナー用筐体２は、扉１１の所定方向Ａへの移動量を制限できる。
【００３８】
次に、ユーザーは、回動軸ＲＬを中心に扉１１を扉回動方向Ｓ０１に回動させる。この時、ピン１６は、周方向ガイド孔２５ｂに沿って交差部Ｔ２２から第２端部Ｔ２３に向かって移動する。この時、扉１１は、所定方向Ａに向かって移動しつつ、回動軸ＲＬを中心に扉回動方向Ｓ０１に回動する。ここで、一般的に、パワーコンディショナー用筐体２は、図２に示す底板１０ｃが鉛直方向下側に配置される。
【００３９】
これにより、パワーコンディショナー用筐体２は、所定方向Ａが鉛直方向下側に向かう方向となり、第２端部Ｔ２３が交差部Ｔ２２よりも鉛直方向下側に配置されることになる。よって、ガイド機構２３は、扉１１の自重によって、ピン１６が第２端部Ｔ２３に向かって周方向ガイド孔２５ｂにガイドされつつ移動しようとする。結果として、パワーコンディショナー用筐体２は、扉１１を扉回動方向Ｓ０１方向に回動させるためにユーザーが扉１１に与える力を低減できる。
【００４０】
また、交差部Ｔ２２は、第２端部Ｔ２３よりも鉛直方向上側となる。よって、パワーコンディショナー用筐体２は、ピン１６が第２端部Ｔ２３に到達すると、扉１１の自重によってピン１６が第２端部Ｔ２３に押し付けられる。これにより、ガイド機構２３は、扉１１の回動軸ＲＬを中心とした回動を規制できる。よって、ガイド機構２３は、例えば、ユーザー（作業者）が扉１１を開けてパワーコンディショナーを保守・点検する際に、扉１１が意図せず閉まるおそれを抑制できる。
【００４１】
実施の形態３．
図７は、実施の形態３のガイド機構を拡大して模式的に示す斜視図である。実施の形態３に係るパワーコンディショナー用筐体３のガイド機構３３は、ガイド孔の形状が実施の形態１に係るパワーコンディショナー用筐体１のガイド機構１５や、実施の形態２に係るパワーコンディショナー用筐体２のガイド機構２３と異なる。ガイド機構３３は、図７に示すように、ピン１６と、ピン１６が係合するガイド手段としてのガイド孔３５とを含んで構成される。ガイド孔３５は、軸受３２に形成される。ガイド孔３５は、軸受３２の径方向に軸受３２を貫通する孔である。
【００４２】
ガイド孔３５は、ガイド手段の第１軸方向部分としての第１軸方向ガイド孔３５ａと、ガイド手段の第１周方向部分としての第１周方向ガイド孔３５ｂと、ガイド手段の第２軸方向部分としての第２軸方向ガイド孔３５ｃと、ガイド手段の第２周方向部分としての第２周方向ガイド孔３５ｄとを含んで構成される。第１軸方向ガイド孔３５ａ及び第２軸方向ガイド孔３５ｃは、回動軸ＲＬに平行に形成される。第１軸方向ガイド孔３５ａ及び第２軸方向ガイド孔３５ｃは、軸受３２の周方向で異なる位置に形成される。本実施の形態では、第１軸方向ガイド孔３５ａと第２軸方向ガイド孔３５ｃとは、互いに平行に形成される。
【００４３】
第１周方向ガイド孔３５ｂ及び第２周方向ガイド孔３５ｄは、軸受３２の周方向に向かって形成される。第１周方向ガイド孔３５ｂ及び第２周方向ガイド孔３５ｄは、軸受３２の回動軸ＲＬ方向で異なる位置に形成される。本実施の形態では、第１周方向ガイド孔３５ｂと第２周方向ガイド孔３５ｄとは、互いに平行に形成される。第１周方向ガイド孔３５ｂ及び第２周方向ガイド孔３５ｄは、第１軸方向ガイド孔３５ａ及び第２軸方向ガイド孔３５ｃに対して直交して形成される。ガイド孔３５は、第１周方向ガイド孔３５ｂの一方が第１軸方向ガイド孔３５ａに連通し、第１周方向ガイド孔３５ｂの他方が第２軸方向ガイド孔３５ｃに連通する。また、ガイド孔３５は、第２周方向ガイド孔３５ｄの一方が第２軸方向ガイド孔３５ｃに連通し、第２周方向ガイド孔３５ｄの他方が閉塞する。
【００４４】
次に、ガイド機構３３の作用及び効果を説明する。ここで、ガイド孔３５の部分のうち、第１軸方向ガイド孔３５ａの閉塞する端部を第１端部Ｔ３１とする。また、ガイド孔３５の部分のうち、第１軸方向ガイド孔３５ａと第１周方向ガイド孔３５ｂとが互いに連通する部分を第１交差部Ｔ３２とする。また、ガイド孔３５の部分のうち、第１周方向ガイド孔３５ｂと第２軸方向ガイド孔３５ｃとが互いに連通する部分を第２交差部Ｔ３３とする。また、ガイド孔３５の部分のうち、第２軸方向ガイド孔３５ｃと第２周方向ガイド孔３５ｄとが互いに連通する部分を第３交差部Ｔ３４とする。また、ガイド孔３５の部分のうち、第２周方向ガイド孔３５ｄの閉塞する端部を第２端部Ｔ３５とする。
【００４５】
第１端部Ｔ３１は、第１交差部Ｔ３２よりも図１に示す雨避部分１０ｆ側に形成される。また、第２交差部Ｔ３３は、第１交差部Ｔ３２よりも扉回動方向Ｓ０１に離れて形成される。また、第３交差部Ｔ３４は、第２交差部Ｔ３３よりも雨避部分１０ｆから離れて形成される。また、第２端部Ｔ３５は、第３交差部Ｔ３４よりも扉回動方向Ｓ０１に離れて形成される。
【００４６】
ガイド機構３３は、扉１１が閉まっている際、ピン１６が第１端部Ｔ３１で第１軸方向ガイド孔３５ａと係合する。ここで、ユーザーが回動軸ＲＬを中心に扉１１を回動させようとしても、パワーコンディショナー用筐体３は、ピン１６が第１軸方向ガイド孔３５ａと係合している。よって、パワーコンディショナー用筐体３は、ピン１６の扉回動方向Ｓ０１の動きが第１軸方向ガイド孔３５ａで規制される。よって、パワーコンディショナー用筐体３は、扉１１が回動軸ＲＬを中心に回動しない。これにより、パワーコンディショナー用筐体３は、図１に示す扉１１と雨避部分１０ｆとの干渉を抑制できる。
【００４７】
扉１１を開く場合、ユーザーは、回動軸ＲＬ方向のうち、所定方向Ａの力を扉１１に加える。この時、ピン１６は、第１軸方向ガイド孔３５ａに沿って第１端部Ｔ３１から第１交差部Ｔ３２に向かって移動する。パワーコンディショナー用筐体３は、ピン１６が第１交差部Ｔ３２に到達すると、ピン１６が第１周方向ガイド孔３５ｂと係合する。次に、ユーザーは、回動軸ＲＬを中心に扉１１を扉回動方向Ｓ０１に回動させる。これにより、ピン１６は、第１周方向ガイド孔３５ｂに沿って第１交差部Ｔ３２から第２交差部Ｔ３３に向かって移動する。この時、パワーコンディショナー用筐体３は、扉１１が所定方向Ａに移動されているため、図２に示すように、扉１１が雨避部分１０ｆと干渉しない。
【００４８】
ピン１６が第２交差部Ｔ３３に到達すると、ガイド機構３３は、ピン１６が第２軸方向ガイド孔３５ｃに係合する。すると、ピン１６は、第２軸方向ガイド孔３５ｃに沿って第２交差部Ｔ３３から第３交差部Ｔ３４に向かって移動する。この時、ガイド機構３３は、扉１１の自重によって、所定方向Ａにピン１６が移動する。次に、ピン１６が第３交差部Ｔ３４に到達すると、ユーザーは、回動軸ＲＬを中心に扉１１を扉回動方向Ｓ０１に回動させる。この時、ピン１６は、第２周方向ガイド孔３５ｄに沿って第３交差部Ｔ３４から第２端部Ｔ３５に向かって移動する。これにより、扉１１は、回動軸ＲＬを中心に扉回動方向Ｓ０１に回動する。
【００４９】
上記構成により、パワーコンディショナー用筐体３は、ピン１６が第２周方向ガイド孔３５ｄと係合する際、つまり、扉１１が開かれている際、ピン１６は、第２端部Ｔ３５及び第３交差部Ｔ３４でピン１６の周方向の動きが規制される。これにより、ガイド機構３３は、扉１１の回動軸ＲＬを中心とした回動を、第３交差部Ｔ３４及び第２端部Ｔ３５の間で規制できる。よって、ガイド機構３３は、例えば、ユーザー（作業者）が扉１１を開けてパワーコンディショナーを保守・点検する際に、扉１１が意図せず閉まるおそれを抑制できる。
【００５０】
実施の形態４．
図８は、実施の形態４に係るヒンジ部分を回動軸に直交する仮想平面で切って示す断面図である。実施の形態４に係るパワーコンディショナー用筐体４のガイド機構４３は、軸体４１にガイド手段が形成され、軸受４２にピン４４が設けられる点に特徴がある。ガイド機構４３は、図８に示すように、ピン４４と、ピン４４が係合するガイド手段としてのガイド溝４５とを含んで構成される。
【００５１】
ピン４４は、軸受４２に設けられる。ピン４４は、軸受４２の内周面４２ａから軸体４１に向かって突出する突起部である。ピン４４は、例えば、ボルトである。但し、ピン４４は、ガイド溝４５と係合する部分には、雄ネジ部分が形成されない。つまり、ピン４４は、根元部分のみに雄ネジ部分が形成される。本実施の形態では、ガイド機構４３は、軸受４２に取付孔４２ｂが形成される。取付孔４２ｂは、軸受４２を径方向に貫通する孔である。取付孔４２ｂには、雌ネジが形成される。ガイド機構４３は、ピン４４に形成された雄ネジ部分が軸受４２に形成される取付孔４２ｂにねじ込まれることで、ピン４４の先端が軸体４１に向かって軸受４２の内周面４２ａから突出するように取り付けられる。
【００５２】
図９は、実施の形態４のガイド溝を拡大して模式的に示す斜視図である。ガイド溝４５は、軸体４１に形成される。ガイド溝４５は、軸体４１の外周面４１ａから回動軸ＲＬに向かって凹む溝である。ガイド溝４５は、ガイド手段の軸方向部分としての軸方向ガイド溝４５ａと、ガイド手段の周方向部分としての周方向ガイド溝４５ｂとを含んで構成される。軸方向ガイド溝４５ａは、回動軸ＲＬに平行に形成される。周方向ガイド溝４５ｂは、軸受４２の周方向に向かって形成される。
【００５３】
ガイド溝４５は、軸方向ガイド溝４５ａと周方向ガイド溝４５ｂとが互いに連通しあって交差する。ガイド溝４５は、軸方向ガイド溝４５ａと周方向ガイド溝４５ｂとが直交する。パワーコンディショナー用筐体４は、扉１１が回動軸ＲＬを中心に回動すると、軸体４１が回動軸ＲＬを中心に回動する。これにより、ガイド機構４３は、軸体４１に形成されるガイド溝４５が回動軸ＲＬを中心に回動する。
【００５４】
この時、ガイド機構４３は、軸受４２に取り付けられるピン４４は回動しない。但し、ガイド機構４３は、ピン４４に対してガイド溝４５が移動することにより、ピン４４がガイド溝４５に対して相対的に移動することとなる。以下、ガイド溝４５が動くことにより、ピン４４に対する位置が変化することを、「ピン４４がガイド溝４５に対して相対的に移動する」と表現する。ここで、扉１１が開かれる際にピン４４がガイド溝４５に対して相対的に移動しようとする方向をピン回動方向Ｓ０２とする。周方向ガイド溝４５ｂは、軸方向ガイド溝４５ａからピン回動方向Ｓ０２に向かって形成される。なお、ピン回動方向Ｓ０２は、図５から図７に示す扉回動方向Ｓ０１と逆方向である。
【００５５】
ここで、ガイド機構４３の組み付け方向を説明する。パワーコンディショナー用筐体４は、まず、軸受４２にピン４４が取り付けられていない状態で、軸体４１が軸受４２に取り付けられる。次に、パワーコンディショナー用筐体４は、軸体４１の外周面４１ａに形成されるガイド溝４５と、軸受４２に形成される取付孔４２ｂとが対向しあうように、軸受４２の内部での軸体４１が位置決めされる。次に、パワーコンディショナー用筐体４は、ピン４４の先端がガイド溝４５と係合するまで、ピン４４が回動軸ＲＬに向かって取付孔４２ｂにねじ込まれる。このようにして、パワーコンディショナー用筐体４は、ガイド機構４３が組み付けられる。
【００５６】
次に、ガイド機構４３の作用及び効果を説明する。ここで、ガイド溝４５の部分のうち、軸方向ガイド溝４５ａの閉塞する端部を第１端部Ｔ４１とする。また、ガイド溝４５の部分のうち、軸方向ガイド溝４５ａと周方向ガイド溝４５ｂとが互いに連通する部分を交差部Ｔ４２とする。また、ガイド溝４５の部分のうち、周方向ガイド溝４５ｂの閉塞する端部を第２端部Ｔ４３とする。第１端部Ｔ４１は、交差部Ｔ４２よりも図１に示す雨避部分１０ｆから離れて形成される。また、第２端部Ｔ４３は、交差部Ｔ４２よりもピン回動方向Ｓ０２に離れて形成される。  
【００５７】
ガイド機構４３は、扉１１が閉まっている際、ピン４４が第１端部Ｔ４１でガイド溝４５と係合する。ここで、ユーザーが回動軸ＲＬを中心に扉１１を回動させようとしても、パワーコンディショナー用筐体４は、ピン４４が軸方向ガイド溝４５ａと係合している。よって、パワーコンディショナー用筐体４は、ピン４４のピン回動方向Ｓ０２の動きが軸方向ガイド溝４５ａで規制される。よって、パワーコンディショナー用筐体４は、扉１１が回動軸ＲＬを中心に回動しない。これにより、パワーコンディショナー用筐体４は、図１に示す扉１１と雨避部分１０ｆとの干渉を抑制できる。
【００５８】
扉１１を開く場合、ユーザーは、回動軸ＲＬ方向のうち、所定方向Ａの力を扉１１に加える。この時、ピン４４は、軸方向ガイド溝４５ａに沿って第１端部Ｔ４１から交差部Ｔ４２に向かって所定方向Ｂへガイド溝４５に対して相対的に移動する。ここで、所定方向Ｂは、所定方向Ａと逆方向である。パワーコンディショナー用筐体４は、ピン４４が交差部Ｔ４２に到達すると、ピン４４が周方向ガイド溝４５ｂと係合する。すると、ピン４４は、それ以上所定方向Ｂへガイド溝４５に対して相対的に移動できない。これにより、パワーコンディショナー用筐体４は、扉１１の所定方向Ａへの移動量を制限できる。
【００５９】
次に、ユーザーは、回動軸ＲＬを中心に扉１１を扉回動方向Ｓ０１に回動させる。この時、ピン４４は、周方向ガイド溝４５ｂに沿って交差部Ｔ４２から第２端部Ｔ４３に向かってガイド溝４５に対して相対的に移動する。パワーコンディショナー用筐体４は、ピン４４が第２端部Ｔ４３に到達すると、ピン４４のピン回動方向Ｓ０２の動きが第２端部Ｔ４３によって規制される。これにより、パワーコンディショナー用筐体４は、扉１１の扉回動方向Ｓ０１への回動量を制限できる。
【００６０】
以上のように、パワーコンディショナー用筐体４は、軸方向ガイド溝４５ａと、扉１１が開かれる際にピン４４がガイド溝４５に対して相対的に移動しようとする方向であるピン回動方向Ｓ０２に向かって形成される周方向ガイド溝４５ｂとを備える。これにより、パワーコンディショナー用筐体４は、まず、所定方向Ａへ向かって扉１１を移動させるように軸体４１をガイドする。
【００６１】
次に、パワーコンディショナー用筐体４は、周方向ガイド溝４５ｂがピン４４の開方向Ｓ０２に向かう移動を許す。すなわち、パワーコンディショナー用筐体４は、扉回動方向Ｓ０１に向かって扉１１を回動させるように軸体４１をガイドできる。よって、パワーコンディショナー用筐体４は、図１に示す扉１１と雨避部分１０ｆとの干渉を抑制できる。以上により、パワーコンディショナー用筐体が図１及び図２に示す雨避部分１０ｆを備える場合であっても、ユーザーは、扉１１を筐体本体１０から完全に取り外す必要なく、容易に扉１１を開閉できる。よって、パワーコンディショナー用筐体５は、扉１１を開閉する際にユーザーの手間が増大するおそれを抑制できる。
【００６２】
また、パワーコンディショナー用筐体４は、ガイド機構４３を備えることにより、扉１１の所定方向Ａへの移動量を規制できる。これにより、パワーコンディショナー用筐体４は、軸体４１が回動軸ＲＬ方向に過剰に移動し、例えば、扉１１が地面と衝突したり、軸体４１が軸受４２から抜けたりするおそれを抑制できる。また、パワーコンディショナー用筐体４は、ガイド機構４３を備えることで、扉１１の扉回動方向Ｓ０１への回動量を規制できる。これにより、パワーコンディショナー用筐体４は、扉１１の最大開度を設定できる。
【００６３】
実施の形態５．
図１０は、実施の形態５のガイド機構を拡大して模式的に示す斜視図である。実施の形態５に係るパワーコンディショナー用筐体５のガイド機構５３は、ガイド溝の形状が実施の形態４に係るパワーコンディショナー用筐体４のガイド機構４３と異なる。ガイド機構５３は、図１０に示すように、ピン４４と、ピン４４が係合するガイド手段としてのガイド溝５５とを含んで構成される。ガイド溝５５は、軸体５１に形成される。ガイド溝５５は、軸体５１の外周面５１ａから回動軸ＲＬに向かって凹む溝である。
【００６４】
ガイド溝５５は、ガイド手段の軸方向部分としての軸方向ガイド溝５５ａと、ガイド手段の周方向部分としての周方向ガイド溝５５ｂとを含んで構成される。軸方向ガイド溝５５ａは、回動軸ＲＬに平行に形成される。周方向ガイド溝５５ｂは、軸受４２の周方向に向かって形成される。また、周方向ガイド溝５５ｂは、軸方向ガイド溝５５ａに対して傾斜して形成される。ガイド溝５５は、軸方向ガイド溝５５ａと周方向ガイド溝５５ｂとが互いに連通しあって交差する。周方向ガイド溝５５ｂは、軸方向ガイド溝５５ａからピン回動方向Ｓ０２と所定方向Ｂとの中間の方向に向かって形成される。
【００６５】
次に、ガイド機構５３の作用及び効果を説明する。ここで、ガイド溝５５の部分のうち、軸方向ガイド溝５５ａの閉塞する端部を第１端部Ｔ５１とする。また、ガイド溝５５の部分のうち、軸方向ガイド溝５５ａと周方向ガイド溝５５ｂとが互いに連通する部分を交差部Ｔ５２とする。また、ガイド溝５５の部分のうち、周方向ガイド溝５５ｂの閉塞する端部を第２端部Ｔ５３とする。第１端部Ｔ５１は、交差部Ｔ５２よりも図１に示す雨避部分１０ｆから離れて形成される。また、第２端部Ｔ５３は、交差部Ｔ５２よりもピン回動方向Ｓ０２に離れて形成され、かつ、交差部Ｔ５２よりも雨避部分１０ｆ側に形成される。
【００６６】
ガイド機構５３は、扉１１が閉まっている際、ピン４４が第１端部Ｔ５１でガイド溝５５と係合する。ここで、ユーザーが回動軸ＲＬを中心に扉１１を回動させようとしても、パワーコンディショナー用筐体５は、ピン４４が軸方向ガイド溝５５ａと係合している。よって、パワーコンディショナー用筐体５は、ピン４４のピン回動方向Ｓ０２の動きが軸方向ガイド溝５５ａで規制される。よって、パワーコンディショナー用筐体５は、扉１１が回動軸ＲＬを中心に回動しない。これにより、パワーコンディショナー用筐体５は、図１に示す扉１１と雨避部分１０ｆとの干渉を抑制できる。
【００６７】
扉１１を開く場合、ユーザーは、回動軸ＲＬ方向のうち、所定方向Ａの力を扉１１に加える。この時、ピン４４は、軸方向ガイド溝５５ａに沿って第１端部Ｔ５１から交差部Ｔ５２に向かってガイド溝５５に対して相対的に移動する。パワーコンディショナー用筐体５は、ピン４４が交差部Ｔ５２に到達すると、ピン４４が周方向ガイド溝５５ｂと係合する。すると、ピン４４は、それ以上所定方向Ｂへガイド溝５５に対して相対的に移動できない。これにより、パワーコンディショナー用筐体５は、扉１１の所定方向Ａへの移動量を制限できる。
【００６８】
次に、ユーザーは、回動軸ＲＬを中心に扉１１を扉回動方向Ｓ０１に回動させる。この時、ピン４４は、周方向ガイド溝５５ｂに沿って交差部Ｔ５２から第２端部Ｔ５３に向かってガイド機構５３に対して相対的に移動する。この時、扉１１は、所定方向Ａに向かって移動しつつ、回動軸ＲＬを中心に扉回動方向Ｓ０１に回動する。ここで、一般的に、パワーコンディショナー用筐体５は、図２に示す底板１０ｃが鉛直方向下側に配置される。
【００６９】
これにより、パワーコンディショナー用筐体５は、所定方向Ａが鉛直方向下側に向かう方向となり、第２端部Ｔ５３が交差部Ｔ５２よりも鉛直方向上側に配置されることになる。よって、ガイド機構５３は、扉１１の自重によってガイド溝５５がピン４４に対して所定方向Ａに向かって移動する。これにより、パワーコンディショナー用筐体５は、ピン４４が周方向ガイド溝５５ｂにガイドされつつ、第２端部Ｔ５３に向かってガイド溝５５に対して相対的に移動する。結果として、パワーコンディショナー用筐体５は、ユーザーが扉１１を扉回動方向Ｓ０１方向に回動させるための力を扉１１に与えなくても、扉１１を開くことができる。
【００７０】
また、交差部Ｔ５２は、第２端部Ｔ５３よりも鉛直方向下側となる。よって、パワーコンディショナー用筐体５は、ピン４４が第２端部Ｔ５３に到達すると、扉１１の自重によって第２端部Ｔ５３にピン４４が鉛直方向上側に向かって押し付けられる状態となる。これにより、ガイド機構５３は、扉１１の回動軸ＲＬを中心とした回動を規制できる。よって、ガイド機構５３は、例えば、ユーザー（作業者）が扉１１を開けてパワーコンディショナーを保守・点検する際に、扉１１が意図せず閉まるおそれを抑制できる。
【００７１】
実施の形態６．
図１１は、実施の形態６のガイド機構を拡大して模式的に示す斜視図である。実施の形態６に係るパワーコンディショナー用筐体６のガイド機構６３は、ガイド孔の形状が実施の形態４に係るパワーコンディショナー用筐体４のガイド機構４３や、実施の形態５に係るパワーコンディショナー用筐体５のガイド機構５３と異なる。ガイド機構６３は、図１１に示すように、ピン４４と、ピン４４が係合するガイド手段としてのガイド溝６５とを含んで構成される。ガイド溝６５は、軸受４２に形成される。ガイド溝６５は、軸体６１の外周面６１ａから回動軸ＲＬに向かって凹む溝である。
【００７２】
ガイド溝６５は、ガイド手段の第１軸方向部分としての第１軸方向ガイド溝６５ａと、ガイド手段の第１周方向部分としての第１周方向ガイド溝６５ｂと、ガイド手段の第２軸方向部分としての第２軸方向ガイド溝６５ｃと、ガイド手段の第２周方向部分としての第２周方向ガイド溝６５ｄとを含んで構成される。第１軸方向ガイド溝６５ａ及び第２軸方向ガイド溝６５ｃは、回動軸ＲＬに平行に形成される。第１軸方向ガイド溝６５ａ及び第２軸方向ガイド溝６５ｃは、軸受４２の周方向で異なる位置に形成される。本実施の形態では、第１軸方向ガイド溝６５ａと第２軸方向ガイド溝６５ｃとは、互いに平行に形成される。
【００７３】
第１周方向ガイド溝６５ｂ及び第２周方向ガイド溝６５ｄは、軸受４２の周方向に向かって形成される。第１周方向ガイド溝６５ｂ及び第２周方向ガイド溝６５ｄは、軸受４２の回動軸ＲＬ方向で異なる位置に形成される。本実施の形態では、第１周方向ガイド溝６５ｂと第２周方向ガイド溝６５ｄとは、互いに平行に形成される。第１周方向ガイド溝６５ｂ及び第２周方向ガイド溝６５ｄは、第１軸方向ガイド溝６５ａ及び第２軸方向ガイド溝６５ｃに対して直交して形成される。ガイド溝６５は、第１周方向ガイド溝６５ｂの一方が第１軸方向ガイド溝６５ａに連通し、第１周方向ガイド溝６５ｂの他方が第２軸方向ガイド溝６５ｃに連通する。また、ガイド溝６５は、第２周方向ガイド溝６５ｄの一方が第２軸方向ガイド溝６５ｃに連通し、第２周方向ガイド溝６５ｄの他方が閉塞する。
【００７４】
次に、ガイド機構６３の作用及び効果を説明する。ここで、ガイド溝６５の部分のうち、第１軸方向ガイド溝６５ａの閉塞する端部を第１端部Ｔ６１とする。また、ガイド溝６５の部分のうち、第１軸方向ガイド溝６５ａと第１周方向ガイド溝６５ｂとが互いに連通する部分を第１交差部Ｔ６２とする。また、ガイド溝６５の部分のうち、第１周方向ガイド溝６５ｂと第２軸方向ガイド溝６５ｃとが互いに連通する部分を第２交差部Ｔ６３とする。また、ガイド溝６５の部分のうち、第２軸方向ガイド溝６５ｃと第２周方向ガイド溝６５ｄとが互いに連通する部分を第３交差部Ｔ６４とする。また、ガイド溝６５の部分のうち、第２周方向ガイド溝６５ｄの閉塞する端部を第２端部Ｔ６５とする。
【００７５】
第１端部Ｔ６１は、第１交差部Ｔ６２よりも図１に示す雨避部分１０ｆから離れて形成される。また、第２交差部Ｔ６３は、第１交差部Ｔ６２よりもピン回動方向Ｓ０２に離れて形成される。また、第３交差部Ｔ６４は、第２交差部Ｔ６３よりも雨避部分１０ｆ側に形成される。また、第２端部Ｔ６５は、第３交差部Ｔ６４よりもピン回動方向Ｓ０２に離れて形成される。
【００７６】
ガイド機構６３は、扉１１が閉まっている際、ピン４４が第１端部Ｔ６１で第１軸方向ガイド溝６５ａと係合する。ここで、ユーザーが回動軸ＲＬを中心に扉１１を回動させようとしても、パワーコンディショナー用筐体６は、ピン４４が第１軸方向ガイド溝６５ａと係合している。よって、パワーコンディショナー用筐体６は、ピン４４の扉回動方向Ｓ０１の動きが第１軸方向ガイド溝６５ａで規制される。よって、パワーコンディショナー用筐体６は、扉１１が回動軸ＲＬを中心に回動しない。これにより、パワーコンディショナー用筐体６は、図１に示す扉１１と雨避部分１０ｆとの干渉を抑制できる。
【００７７】
扉１１を開く場合、ユーザーは、回動軸ＲＬ方向のうち、所定方向Ａの力を扉１１に加える。この時、ピン４４は、第１軸方向ガイド溝６５ａに沿って第１端部Ｔ６１から第１交差部Ｔ６２に向かってガイド溝６５に対して相対的に移動する。パワーコンディショナー用筐体６は、ピン４４が第１交差部Ｔ６２に到達すると、ピン４４が第１周方向ガイド溝６５ｂと係合する。次に、ユーザーは、回動軸ＲＬを中心に扉１１を扉回動方向Ｓ０１に回動させる。これにより、ピン４４は、第１周方向ガイド溝６５ｂに沿って第１交差部Ｔ６２から第２交差部Ｔ６３に向かってガイド溝６５に対して相対的に移動する。この時、パワーコンディショナー用筐体６は、扉１１が所定方向Ａに移動されているため、図２に示すように、扉１１が雨避部分１０ｆと干渉しない。
【００７８】
ピン４４が第２交差部Ｔ６３に到達すると、ガイド機構６３は、ピン４４が第２軸方向ガイド溝６５ｃに係合する。すると、ピン４４は、第２軸方向ガイド溝６５ｃに沿って第２交差部Ｔ６３から第３交差部Ｔ６４に向かってガイド溝６５に対して相対的に移動する。この時、扉１１の自重によって軸体６１が鉛直方向の力を受けるため、ガイド機構６３は、ピン４４がガイド溝６５に対して相対的に所定方向Ｂに移動しようとする。次に、ピン４４が第３交差部Ｔ６４に到達すると、ユーザーは、回動軸ＲＬを中心に扉１１を扉回動方向Ｓ０１に回動させる。この時、ピン４４は、第２周方向ガイド溝６５ｄに沿って第３交差部Ｔ６４から第２端部Ｔ６５に向かってガイド溝６５に対して相対的に移動する。これにより、扉１１は、回動軸ＲＬを中心に扉回動方向Ｓ０１に回動する。
【００７９】
上記構成により、パワーコンディショナー用筐体６は、ピン４４が第２周方向ガイド溝６５ｄと係合する際、つまり、扉１１が開かれている際、ピン４４は、第２端部Ｔ６５及び第３交差部Ｔ６４でピン４４の周方向の動きが規制される。これにより、ガイド機構６３は、扉１１の回動軸ＲＬを中心とした回動を、第３交差部Ｔ６４及び第２端部Ｔ６５の間で規制できる。よって、ガイド機構６３は、例えば、ユーザー（作業者）が扉１１を開けてパワーコンディショナーを保守・点検する際に、扉１１が意図せず閉まるおそれを抑制できる。
【産業上の利用可能性】
【００８０】
本発明に係るパワーコンディショナー筐体は、屋外に設置されるものに有用であり、特に、扉を開閉する際に要するユーザーの手間を低減することに適している。
【符号の説明】
【００８１】
１０  筐体本体
１０ａ  背板
１０ｂ  天板
１０ｃ  底板
１０ｄ  側板
１０ｅ  開口
１０ｆ  雨避部分
１１  扉
１、２、３、４、５、６  パワーコンディショナー用筐体
１３、４１、５１、６１  軸体
１３ａ、４１ａ、５１ａ、６１ａ  外周面
１４、２２、３２、４２  軸受
１４ａ、４２ａ  内周面
１４ｂ  逃げ部
１５、２３、３３、４３、５３、６３  ガイド機構
１６、４４  ピン
１７、２５、３５  ガイド孔
１７ａ、２５ａ  軸方向ガイド孔
１７ｂ、２５ｂ  周方向ガイド孔
３５ａ  第１軸方向ガイド孔
３５ｂ  第１周方向ガイド孔
３５ｃ  第２軸方向ガイド孔
３５ｄ  第２周方向ガイド孔
４２ｂ  取付孔
４５、５５、６５  ガイド溝
４５ａ、５５ａ  軸方向ガイド溝
４５ｂ、５５ｂ  周方向ガイド溝
６５ａ  第１軸方向ガイド溝
６５ｂ  第１周方向ガイド溝
６５ｃ  第２軸方向ガイド溝
６５ｄ  第２周方向ガイド溝
Ａ、Ｂ  所定方向
ＲＬ  回動軸
Ｓ０１  扉回動方向
Ｓ０２  ピン回動方向
Ｔ１１、Ｔ２１、Ｔ３１、Ｔ４１、Ｔ５１、Ｔ６１  第１端部
Ｔ１２、Ｔ２２、Ｔ４２、Ｔ５２  交差部
Ｔ１３、Ｔ２３、Ｔ３５、Ｔ４３、Ｔ５３、Ｔ６５  第２端部
Ｔ３２、Ｔ６２  第１交差部
Ｔ３３、Ｔ６３  第２交差部
Ｔ３４、Ｔ６４  第３交差部
【図１】
2011001513.tif 000003
【図２】
2011001513.tif 000004
【図３】
2011001513.tif 000005
【図４】
2011001513.tif 000006
【図５】
2011001513.tif 000007
【図６】
2011001513.tif 000008
【図７】
2011001513.tif 000009
【図８】
2011001513.tif 000010
【図９】
2011001513.tif 000011
【図１０】
2011001513.tif 000012
【図１１】
2011001513.tif 000013
【手続補正書】
【提出日】平成24年9月7日(2012.9.7)
【手続補正１】
【補正対象書類名】特許請求の範囲
【補正対象項目名】全文
【補正方法】変更
【補正の内容】
【特許請求の範囲】
【請求項１】
開口と、該開口の上縁に庇状に形成された雨避部分とを有すると共にパワーコンディショナーの機器類が収められる筐体本体と、
前記筐体本体に取り付けられて、前記開口を覆うことができる扉と、
前記筐体本体と前記扉とのうちのいずれかに設けられる軸体と、
前記筐体本体と前記扉とのうち前記軸体が設けられない方に設けられ、前記軸体の外周面の少なくとも一部を覆って、前記軸体の回動軸を中心に前記軸体が回動でき、かつ、回動軸方向に前記軸体が移動できるように前記軸体を支持する軸受と、
前記軸体と前記軸受とのうちの一方に設けられ、他方に向かって突出する突起部と、
前記軸体と前記軸受とのうちの前記突起部が設けられていない方に形成されて前記突起部と係合するガイド手段と、
を備え、
前記ガイド手段は、
前記回動軸方向に沿って形成される第１軸方向部分と、
前記軸体と前記軸受とのうち前記ガイド手段が形成される方の周方向へ向かって前記第１軸方向部分に交差して形成され、前記扉が開かれる際の前記突起部の前記ガイド手段に対する前記周方向の相対的な移動を許す第１周方向部分と、
を含み、
前記扉が前記開口を覆った状態では、前記突起部は前記第１軸方向部分と係合しており、
前記開口を覆った状態の前記扉を前記回動軸方向に沿って前記雨避部分から離れる方向に移動させることにより、前記突起部が前記第１軸方向部分に沿って移動して前記第１周方向部分と係合し、
前記突起部が前記第１周方向部分に係合した状態で前記回動軸を中心として前記扉を回転させることにより、前記突起部が前記第１周方向部に沿って移動し、前記開口が開放されることを特徴とするパワーコンディショナー用筐体。
【請求項２】
前記ガイド手段は、
前記第１周方向部分と前記第１軸方向部分とが直交することを特徴とする請求項１に記載のパワーコンディショナー用筐体。
【請求項３】
前記ガイド手段は、
前記第１周方向部分が前記第１軸方向部分に対して傾斜して交差することを特徴とする請求項１に記載のパワーコンディショナー用筐体。
【請求項４】
前記ガイド手段は、
前記第１周方向部分の前記第１軸方向部分とは反対側の端から、前記第１軸方向部分とは逆方向に延びる第２軸方向部分と、
前記第２軸方向部分の端部から、前記第１周方向部分とは反対方向に延びる第２周方向部分と、
を含み、
前記第１周方向部分に沿って移動した前記突起部は前記第２軸方向部分に係合し、
前記突起部が前記第２軸方向部分に係合した状態で前記扉を前記回動軸方向に沿って前記雨避部分から離れる方向に移動させることにより、前記突起部が前記第２軸方向部分に沿って移動して前記第２周方向部分と係合し、
前記突起部が前記第２周方向部分に係合した状態で前記回動軸を中心として前記扉を回転させることにより、前記突起部が前記第２周方向部に沿って移動することを特徴とする請求項１から請求項３のいずれか一項に記載のパワーコンディショナー用筐体。
【請求項５】
前記第１軸方向部分及び前記突起部は、前記扉の前記回動軸方向に沿った移動量を所定距離以下に規制することを特徴とする請求項１から請求項４のいずれか一項に記載のパワーコンディショナー用筐体。
【国際調査報告】
2011001513.tif 000014
2011001513.tif 000015
2011001513.tif 000016
2011001513.tif 000017